(57)【要約】  【課題】  複数台の空調システムを制御する集中制御装置において、一斉制御を複数の記憶手段を設けることにより操作性向上と利便性向上を図る。  【解決手段】  集中制御装置４に一斉ＯＮ／ＯＦＦ制御ＳＷ４６とは別に、複数の運転モード記憶機能とその記憶された運転状態への一斉ＯＮ／ＯＦＦ機能とを記憶モード運転ＳＷに同時に持たせ、何時でも極めて容易に設定と一斉制御ができる利便性と全ての一斉制御ではない使用者が意図する経済性運転を提供する極めて利用価値大なるものである。【選択図】  図１
2005055023.tif 000002
【特許請求の範囲】
【請求項１】
複数の空気調和機を有線或いは無線にて運転を集中制御する空気調和機の集中制御装置であって、運転モードを設定するモード切り替え手段と、複数の空気調和機の同時通電および同時通電停止を行う一斉制御手段と、複数の空気調和機における前記モード切り替え手段によって設定された運転モードを記憶可能な記憶手段とを備え、前記一斉制御手段により複数の空気調和機の同時通電停止後、前記記憶手段によって記憶された複数の空気調和機における運転モードを運転することを特徴とする空気調和機の集中制御装置。
【発明の詳細な説明】
【技術分野】
【０００１】
本発明は、複数台の空気調和機を運転制御する空気調和機の集中制御装置に関するものである。
【背景技術】
【０００２】
従来、複数台の空気調和機を運転制御する空気調和機の集中制御装置が提案されている（例えば特許文献１参照）。以下、従来の空気調和機の集中制御装置について図４を用いて説明する。図４は従来の空気調和機の集中制御装置を示すブロック図である。
【０００３】
図４において、１は室外機、６は室外機１内に設けられた冷媒分岐装置、５ａ、５ｂは室内機であり、室外機１と室内機５ａ、５ｂがそれぞれ配管と電線により接続され、冷凍サイクル系Ａを構成している。また、これとは別に集中制御装置４が冷媒分岐装置２に電線により接続されており、室内機５ａ、５ｂ、冷媒分岐装置２、集中制御装置４はそれぞれ通信手段５１ａ、５１ｂ、１１、１２、４１を有している。又同様に基本構成を同一とした冷凍サイクル系Ｂも集中制御装置４に接続されている。冷媒分岐装置６に並列接続された室内機５ａ、５ｂは１グループとして同一のモードで運転され、各々の室内機運転制御は集中制御装置４によって集中制御される。
【０００４】
この時、集中制御装置４からの制御情報は、集中制御装置４に設けられた通信手段４１（以下、集中通信手段）と、室外機１に設けられた通信手段１２（以下、室外通信手段）とが通信することで、室外機１の室内側通信手段１１と、室内機５ａ、５ｂに設けられた通信手段５１ａ、５１ｂ（以下、室内通信手段）とが通信を行うことで室内機５１ａ、５１ｂに伝達される。冷凍サイクル系Ｂも同様である。
【０００５】
ここで集中制御装置４は一台のリモコンとして全ての接続システムに対して同一の運転モードを設定するものであ。また集中制御装置４には一斉切／入ＳＷ４６が設けられている。図５は集中制御装置であるが一斉切／入ＳＷ４６による各システムへの運転モード指示はＳＷ操作時の液晶画面に現れている運転モードにて指示される。動作は運転状態の空気調和機がある場合には一斉にＯＦＦし、全て停止状態であれば一斉に全てＯＮするものである。
【特許文献１】特開２００２−２２８２３６号公報
【発明の開示】
【発明が解決しようとする課題】
【０００６】
しかしながら上記従来の構成では、集中制御装置４からの運転モード指示は一律同一モードに設定されることになる。システムとしては独立した冷凍サイクル系Ａと冷凍サイクル系Ｂと複数の冷凍サイクル系があり、個別に冷房、暖房、除湿等の運転は可能にも関わらず操作が出来なく、せっかくの個別任意運転モードの利便性が失われているという課題を有していた。また、全ての空気調和機を一斉にＯＮすることは実使用面で大変無駄の多い経済姓の面からも課題の多いものであった。
【０００７】
本発明はこのような従来の課題を解決するもので、複数の空気調和機を一律同一の運転モードに設定可能であると共に、複数の空気調和機を個別に運転モードが設定可能とし、かつ、個別の運転モードを記憶可能とする空気調和機の集中制御装置を提供することを目的とする。
【課題を解決するための手段】
【０００８】
上記課題を解決するために本発明の空気調和機の集中制御装置は、複数の空気調和機を有線或いは無線にて運転を集中制御する空気調和機の集中制御装置であって、運転モードを設定するモード切り替え手段と、複数の空気調和機の同時通電および同時通電停止を行う一斉制御手段と、複数の空気調和機における前記モード切り替え手段によって設定された運転モードを記憶可能な記憶手段とを備え、前記一斉制御手段により複数の空気調和機の同時通電停止後、前記記憶手段によって記憶された複数の空気調和機における運転モードを運転するという構成を有している。
【０００９】
この構成によって、複数の空気調和機を一律同一の運転モードに設定可能であると共に、複数の空気調和機を個別に運転モードが設定可能とし、かつ、個別の運転モードを記憶可能とする空気調和機の集中制御装置が得られるものである。
【発明の効果】
【００１０】
以上のように本発明は、一斉制御手段により複数の空気調和機の同時通電停止後、記憶手段によって記憶された複数の空気調和機における運転モードを運転するとしたものであり、複数の空気調和機を一律同一の運転モードに設定可能であると共に、複数の空気調和機を個別に運転モードが設定可能とし、かつ、個別の運転モードを記憶可能となるものである。
【発明を実施するための最良の形態】
【００１１】
本発明の請求項１に記載の発明は、複数の空気調和機を有線或いは無線にて運転を集中制御する空気調和機の集中制御装置であって、運転モードを設定するモード切り替え手段と、複数の空気調和機の同時通電および同時通電停止を行う一斉制御手段と、複数の空気調和機における前記モード切り替え手段によって設定された運転モードを記憶可能な記憶手段とを備え、前記一斉制御手段により複数の空気調和機の同時通電停止後、前記記憶手段によって記憶された複数の空気調和機における運転モードを運転するとしたものであり、複数の空気調和機を一律同一の運転モードに設定可能であると共に、複数の空気調和機を個別に運転モードが設定可能とし、かつ、個別の運転モードを記憶可能とする作用を有する。
【００１２】
以下、本発明の実施の形態について、図面を参照して説明する。
【００１３】
（実施の形態１）
図１は本発明の実施の形態１における空気調和機の集中制御装置の構成を示すブロック図である。図１において、室外機１は冷媒分岐手段６を有しており、配管によって室内機５ａ、５ｂと接続され、冷凍サイクル系Ａを構成している。室外機１、室内機５ａ、５ｂはそれぞれ通信手段１１、５１ａ、５１ｂ（以下、室外通信手段１１、室内通信手段５１ａ、５１ｂ）を有しており、室内機５ａ、５ｂは１グループとして同一の運転モードで運転される。ここで、運転モードは冷房、暖房、除湿等のモードである。また、これら冷凍サイクル系Ａとは別に、室内機５ａ、５ｂを集中制御するための集中制御装置４が室外機１と無線接続されており、集中制御装置４に設けられた集中通信手段４１は室外通信手段１１と通信を行う。さらに、室外機１と室内機５ａ、５ｂはそれぞれ有線接続されて、室外通信手段１１と、室内通信手段５１ａ、５１ｂがそれぞれ通信を行う。以上の冷凍サイクル系Ａと同様に冷凍サイクル系Ｂとも通信手段にて集中制御装置により制御されている。上記の構成から明らかなように、複数の独立した冷凍サイクルシステムが１台の集中制御装置４により集中制御されているものである。
【００１４】
図２は本発明の実施の形態１における空気調和機の集中制御装置の構成を示す模式図である。図２において、各部屋の空気調和機であるエアコンは部屋別切／入ＳＷ４３により各々ＯＮ／ＯＦＦされる。また同時にエアコンを一斉に制御させたい場合は一斉制御手段である一斉切／入ＳＷ４６によりＯＮ／ＯＦＦされる。この時の運転モードは液晶表示部４２のモード表示４８に設定（点灯）されているモードにて運転される。モード１ＳＷとモード２ＳＷ４９は任意の運転状態を設定可能なＳＷである。
【００１５】
図３は本発明の同装置の記憶モードＳＷ動作説明図である。図３において、各ＳＷの運転記憶手順とそのＳＷによる一斉ＯＮ／ＯＦＦ運転の例を示したものである。運転状態時にこの記憶モードＳＷを押せば、その時点の運転状況が各ＳＷに記憶、設定される。従って、全停止状態の時にこのＳＷを押すことにより、以前に記憶した運転状態を即座に設定し、運転するものである。
【００１６】
本発明の実施の形態１は、集中制御装置に一斉ＯＮ／ＯＦＦ制御ＳＷと個別に複数の記憶モード一斉ＯＮ／ＯＦＦＳＷを設けたものであり、かつそのＳＷへの記憶は極めて容易に設定出来るようにしたものであり利便性に優れた、極めて効果大なるものである。
【図面の簡単な説明】
【００１７】
【図１】本発明の実施の形態１における空気調和機の集中制御装置の構成を示すブロック図
【図２】本発明の実施の形態１における空気調和機の集中制御装置の構成を示す模式図
【図３】本発明の同装置の記憶モードＳＷ動作説明図
【図４】従来の空気調和装置の集中制御装置における構成を示すブロック図
【図５】従来の空気調和機の集中制御装置を示す模式図
【符号の説明】
【００１８】
４  集中制御装置
４３  部屋別切／入ＳＷ
４６  一斉切／入ＳＷ
４９  モードＳＷ
【図１】
2005055023.tif 000003
【図２】
2005055023.tif 000004
【図３】
2005055023.tif 000005
【図４】
2005055023.tif 000006
【図５】
2005055023.tif 000007